(57)【要約】【課題】  台形の敷地に対応でき、現地での加工が容易な簡易建物の提供。【解決手段】  桁１ｂと、垂木２，２，…とを備え、桁１ｂと垂木２，２，…は平面視で斜めに交差しており、垂木２は、垂木本体４とパネル受け５とパネル押え６とで構成され、垂木本体４は、端部を斜めに切断して小口２５を桁１ｂの内側面２２に当接ないし近接してあり、パネル受け５とパネル押え６は、端部が斜めに切断してあると共に、桁１ｂ上まで延びている。【選択図】      図４
2020041302.tif 000002
【特許請求の範囲】
【請求項１】
桁と、垂木とを備え、桁と垂木は平面視で斜めに交差しており、垂木は、垂木本体とパネル受けとパネル押えとで構成され、垂木本体は、端部を斜めに切断して小口を桁の内側面に当接ないし近接してあり、パネル受けとパネル押えは、端部が斜めに切断してあると共に、桁上まで延びていることを特徴とする簡易建物。
【発明の詳細な説明】
【技術分野】
【０００１】
本発明は、カーポート等の簡易建物に関する。
【背景技術】
【０００２】
従来の簡易建物は、屋根が平面視長方形であり、垂木には上面に屋根パネルを受けるパネル受け部が一体に形成されており、垂木の長手方向の端部に現地で切欠きを設ける必要があった（例えば、非特許文献１参照）。台形敷地に対応するために屋根を台形にしようとすると、垂木の長手方向端部を斜めに切断しなければならない上、切欠き加工も必要なため、台形屋根の施工は困難であった。
【先行技術文献】
【特許文献】
【０００３】
【非特許文献１】三協立山株式会社  三協アルミ社発行の施工要領書「ユニバーサル エントランス システム  Ｕ．スタイル２  アール屋根  施工要領書（ＨＺ１２５２Ｅ）」、２０１７年２月、ｐ．２４
【発明の概要】
【発明が解決しようとする課題】
【０００４】
本発明は以上に述べた実情に鑑み、台形の敷地に対応でき、現地での加工が容易な簡易建物の提供を目的とする。
【課題を解決するための手段】
【０００５】
上記の課題を達成するために請求項１記載の発明による簡易建物は、桁と、垂木とを備え、桁と垂木は平面視で斜めに交差しており、垂木は、垂木本体とパネル受けとパネル押えとで構成され、垂木本体は、端部を斜めに切断して小口を桁の内側面に当接ないし近接してあり、パネル受けとパネル押えは、端部が斜めに切断してあると共に、桁上まで延びていることを特徴とする。
【発明の効果】
【０００６】
請求項１記載の発明による簡易建物は、桁と垂木を平面視で斜めに交差させることで台形の敷地に対応でき、しかも垂木は、垂木本体とパネル受けとパネル押えとで構成したので、垂木本体とパネル受けとパネル押えの桁と斜めに交差する方の端部をそれぞれ斜めに切断するだけでよいため、現地での加工が容易である。
【図面の簡単な説明】
【０００７】
【図１】本発明の簡易建物の一実施形態に係るカーポートの平面図である。
【図２】同カーポートの正面図である。
【図３】図１のＡ−Ａ断面図である。
【図４】図１のＢ−Ｂ断面図である。
【発明を実施するための形態】
【０００８】
以下、本発明の実施の形態を図面に基づいて説明する。図１〜４は、本発明の簡易建物の一実施形態に係るカーポートを示している。本カーポートは、図１，２に示すように、前側に配置された一方側支持体７と、後側に配置された他方側支持体８と、両支持体７，８に支持される屋根９とを備えている。一方側支持体７及び他方側支持体８は、屋根９の左右両側に柱１０，１０を有し、柱１０，１０の上端部に梁１１を架設した両支持フレームとなっている。本カーポートは、図１に示すように、台形の敷地１２に対応して屋根９を台形にしている。屋根９は、図２に示すように、一方側支持体及７及び他方側支持体８の梁１１に吊り金具１３で吊り下げて支持してある。
【０００９】
屋根９は、図１に示すように、左右両側に桁１ａ，１ｂを有し、左右の桁１ａ，１ｂの前側の端部間と後側の端部間に妻垂木３，３を取付け、前後の妻垂木３，３の間の左右の桁１ａ，１ｂ間に複数の垂木２，２，…を前後方向に間隔をおいて取付け、妻垂木３と垂木２の間、垂木２，２同士の間に樹脂製の屋根パネル１４を取付けて構成してある。桁１ａ，１ｂ、妻垂木３及び垂木２は、アルミ合金の押出形材で形成してある。
正面から見て右側の桁１ｂは、敷地１２の形状に合わせ、前後方向に対して角度α°傾けて配置されており、したがって同桁１ｂは垂木２，２，…及び妻垂木３，３と斜めに交差している。妻垂木３と垂木２は、図２に示すように、上側に膨らむようにＲ状に湾曲している。
【００１０】
垂木２は、図３に示すように、垂木本体４とパネル受け５とパネル押え６とに分割して構成してある。垂木本体４は、略矩形断面の中空状となっており、フラットな上面の左右両側縁部にパネル受け５の位置決め用の突起１５，１５が長手方向に沿って設けてある。
パネル受け５は、略板状で左右両側の上面に屋根パネル１４を受けるパッキン１６，１６が長手方向に沿って設けてある。またパネル受け５は、左右方向の中央部に一対の突片１７，１７が上方に立ち上げて設けてある。パネル受け５は、垂木本体４の上面に載置され、上方からネジ２０で固定してある。
パネル押え６は、略板状で左右両側の下面に屋根パネル１４を押さえるパッキン１８，１８が長手方向に沿って設けてある。またパネル押え６は、左右方向の中央部に一対の垂下片１９，１９が設けてあり、垂下片１９，１９はパネル受け５の突片１７，１７の外側に係合している。パネル押え６は、左右方向の中央部に上方から挿入したネジ２１をパネル受け５の突片１７，１７間の溝に螺入することで、パネル受け５上に固定される。パネル押え６の取付けネジ２１を締め付けると、屋根パネル１４の側縁部がパネル受け５のパッキン１６とパネル押え６のパッキン１８とで上下から挟み込んで保持される。
屋根パネル１４は、パネル受け５とパネル押え６とで挟持されることで、側縁部が僅かに斜め上向きに保持されるようになっており、これにより垂木２，２間に屋根パネル１４を受ける中骨を取付けなくても、屋根パネル１４の幅方向の中央部が凹むように変形するのを防ぐことができる。
【００１１】
垂木２の垂木本体４は、斜めに取付けた桁１ｂ側の長手方向の端部が、桁１ｂの傾き角度αに合わせて斜めに切断され、図４に示すように、その小口２５は桁１ｂの内側面２２に当接ないし近接している。パネル受け５は、長手方向の端部が垂木本体４より所定長さ突出し、桁１ｂ上までのびている。パネル押え６は、長手方向の端部がパネル受け５よりもさらに所定長さ突出し、桁１ｂ上までのびている。パネル受け５とパネル押え６は、傾いた桁１ｂ側の長手方向の端部が、垂木本体４と同様に、桁１ｂの傾き角度αに合わせてそれぞれ斜めに切断されている（図１参照）。
【００１２】
妻垂木３も、垂木２と同様に、垂木本体４とパネル受け５とパネル押え６とで構成され、垂木本体４の長手方向の端部が桁１ａ，１ｂの内側面２２に当接ないし近接し、パネル受け５とパネル押え６は桁１ａ，１ｂ上までのびている。
【００１３】
図１，４に示すように、桁１ａ，１ｂの外側と妻垂木３の外側には破風２３が取付けてある。本カーポートは、このように破風２３を取付けたことで、図２に示すように、屋根９が破風２３で隠れている。破風２３は、見えがかりの面に木目調フィルム等でラッピングを施すことができる。
【００１４】
次に、本カーポートの施工手順を説明する。まず、一方側支持体７及び他方側支持体８を地面に立設する。次に、左右の桁１ａ，１ｂを支持体７，８の梁１１に吊り金具１３で吊り下げて取付ける。このとき、正面から見て左側の桁１ａは前後方向に対してまっすぐ取付け、右側の桁１ｂは敷地１２の形状に合わせて前後方向に対してα°傾けて取付ける。次に、左右の桁１ａ，１ｂ間に垂木２，２，…（垂木本体４及びパネル受け５）と妻垂木３，３（垂木本体４及びパネル受け５）を取付ける。垂木２と妻垂木３は、右側の桁１ｂを傾けずに取付ける場合（図１の仮想線２４参照）に必要な同じ長さで現場に搬入され、右側の桁１ｂ側の端部を、桁１ｂの傾き角度αと垂木２の前後位置に応じて、所定長さ斜めに切断する。垂木本体４とパネル受け５とが一体物であったとすると、端部を斜めに切断し且つ切欠き加工も必要になるが、本カーポートは垂木本体４とパネル受け５とを別体にしたことで、垂木本体４とパネル受け５の端部をそれぞれ斜めに切断するだけでよく、切欠き加工が不要なため、現地での加工が容易である。なお、垂木本体４とパネル受け５は、パネル受け５が垂木本体４よりも所定長さだけ長くなるように、垂木本体４とパネル受け５の桁１ｂ側の端部をそれぞれ斜めに切断した後、パネル受け５を垂木本体４上に載せてネジ２０で固定し、その上で左右の桁１ａ，１ｂ間に取付けられる。その後、妻垂木３と垂木２の間、垂木２同士の間に屋根パネル１４を載せ、垂木２及び妻垂木３のパネル受け５上にパネル押え６（パネル受け５と同様に、傾いた桁１ｂ側の端部を斜めに切断する）を取付けて屋根パネル１４を固定する。最後に、屋根９の周囲に破風２３を取付ける。
【００１５】
以上に述べたように本カーポートは、桁１ｂと垂木２，２，…を平面視で斜めに交差させることで台形の敷地１２に対応でき、しかも垂木２，２，…は、垂木本体４とパネル受け５とパネル押え６とで構成したので、垂木本体４とパネル受け５とパネル押え６の桁１ｂと斜めに交差する方の端部をそれぞれ斜めに切断するだけでよいため、現地での加工が容易である。
垂木本体４は、上部にパネル受け５の位置決め用の突起１５，１５を有するので、垂木本体４とパネル受け５の端部を別々に切断した後、パネル受け５を垂木本体４上に位置決めして載置でき、両者を一体化するのが容易である。
【００１６】
本発明は以上に述べた実施形態に限定されない。屋根の形状、構造は、適宜変更することができる。垂木は、Ｒ状に湾曲しないまっすぐなものであってもよい。屋根を支持する支持体の構造は任意である。屋根は、支持体の梁の上に載せて支持することもできる。本発明は、カーポートに限らず、例えば通路用のシェルター、テラスの屋根など、あらゆる簡易建物に適用することができる。
【符号の説明】
【００１７】
１ａ，１ｂ  桁
２  垂木
３  妻垂木（垂木）
４  垂木本体
５  パネル受け
６  パネル押え
【図１】
2020041302.tif 000003
【図２】
2020041302.tif 000004
【図３】
2020041302.tif 000005
【図４】
2020041302.tif 000006